(57)【要約】【課題】複数ページで構成されたデータに対して、操作性および視認性に優れたページ繰り操作を行うことができる携帯端末およびデータ表示方法を提供する。【解決手段】複数のページで構成されたデータを表示する表示手段（Ｓ１）と、操作者より入力された操作の移動量を検出する検出手段（Ｓ２）と、検出手段により検出された移動量に基づいて、繰られるページ量を決定する決定手段（Ｓ３）と、決定手段により決定されたページ量分のデータのページを繰る表示を行わせる表示制御手段（Ｓ４）とを備えた。【選択図】  図３
2010250757.tif 000002
【特許請求の範囲】
【請求項１】
複数のページで構成されたデータを表示する表示手段と、
操作者より入力された操作の移動量を検出する検出手段と、
前記検出手段により検出された前記移動量に基づいて、繰られるページ量を決定する決定手段と、
前記決定手段により決定された前記ページ量分の前記データのページを繰る表示を行わせる表示制御手段とを備えたことを特徴とする携帯端末。
【請求項２】
複数のページで構成されたデータを表示する表示手段と、
操作者より入力された操作の移動速度を検出する検出手段と、
前記検出手段により検出された前記移動速度に基づいて、前記ページを繰る速度を決定する決定手段と、
前記決定手段により決定された前記速度で前記データのページを繰る表示を行わせる表示制御手段とを備えたことを特徴とする携帯端末。
【請求項３】
複数のページで構成されたデータを表示する表示手段と、
操作者の複数の指の指紋を検出する指紋検出手段と、
前記指紋検出手段により検出された前記指の指紋より、前記指の種類を判別する判別手段と、
前記指の種類に基づいて、繰られるページ量を決定する決定手段と、
前記決定手段により決定された前記ページ量分の前記データのページを繰る表示を行わせる表示制御手段とを備えたことを特徴とする携帯端末。
【請求項４】
複数のページで構成されたデータを表示する表示手段と、
操作者の複数の指の指紋を検出する指紋検出手段と、
前記指紋検出手段により検出された前記指の指紋より、前記指の種類を判別する判別手段と、
前記指の種類に基づいて、前記ページを繰る速度を決定する決定手段と、
前記決定手段により決定された前記速度で前記データのページを繰る表示を行わせる表示制御手段とを備えたことを特徴とする携帯端末。
【請求項５】
複数のページで構成されたデータを表示する表示手段と、
操作者の複数の指の指紋を検出する指紋検出手段と、
前記指紋検出手段により検出された前記指の指紋より判別される前記指の種類に基づいて、前記ページを繰る表示が開始される位置および終了される位置を決定する決定手段と、
前記決定手段により決定された前記開始される位置から前記データのページを繰る表示を開始させ、前記終了される位置で前記ページを繰る表示を終了させる表示制御手段とを備えたことを特徴とする携帯端末。
【請求項６】
複数のページで構成されたデータを表示する表示手段と、
操作者の指の指紋を検出する指紋検出手段と、
前記指紋検出手段により前記指紋の検出が開始された位置と終了された位置とに基づいて、前記ページを繰る表示が開始される位置および終了される位置を決定する決定手段と、
前記決定手段により決定された前記開始される位置から前記データのページを繰る表示を開始させ、前記終了される位置で前記ページを繰る表示を終了させる表示制御手段とを備えたことを特徴とする携帯端末。
【請求項７】
前記データの任意のページにマーキングするマーキング手段と、
前記表示制御手段により繰る表示が行われるページの中に、前記マーキング手段によりマーキングされた前記ページが存在する場合、通知を行う通知手段とをさらに備えた請求項１〜６のいずれか一項に記載の携帯端末。
【請求項８】
前記データの任意のページにマーキングするマーキング手段をさらに備え、
前記表示制御手段は、繰る表示が行われるページの中にマーキングされた前記ページが存在する場合、前記マーキング手段によりマーキングされた前記ページ近傍におけるページを繰る速度を小さくする請求項１〜７のいずれか一項に記載の携帯端末。
【請求項９】
複数のページで構成されたデータを表示する表示ステップと、
操作者より入力された操作の移動量を検出する検出ステップと、
前記検出ステップで検出した前記移動量に基づいて、繰られるページ量を決定する決定ステップと、
前記決定ステップで決定した前記ページ量分の前記データのページを繰る表示を行う表示制御ステップとを備えることを特徴とするデータ表示方法。
【請求項１０】
複数のページで構成されたデータを表示する表示ステップと、
操作者より入力された操作の移動速度を検出する検出ステップと、
前記検出ステップで検出した前記移動速度に基づいて、前記ページを繰る速度を決定する決定ステップと、
前記決定ステップで決定した前記速度で前記データのページを繰る表示を行う表示制御ステップとを備えることを特徴とするデータ表示方法。
【請求項１１】
複数のページで構成されたデータを表示する表示ステップと、
操作者の複数の指の指紋を検出する指紋検出ステップと、
前記指紋検出ステップで検出した前記指の指紋より、前記指の種類を判別する判別ステップと、
前記指の種類に基づいて、繰られるページ量を決定する決定ステップと、
前記決定ステップで決定された前記ページ量分の前記データのページを繰る表示を行う表示制御ステップとを備えることを特徴とするデータ表示方法。
【請求項１２】
複数のページで構成されたデータを表示する表示ステップと、
操作者の複数の指の指紋を検出する指紋検出ステップと、
前記指紋検出ステップで検出した前記指の指紋より、前記指の種類を判別する判別ステップと、
前記指の種類に基づいて、前記ページを繰る速度を決定する決定ステップと、
前記決定ステップで決定した前記速度で前記データのページを繰る表示を行う表示制御ステップとを備えることを特徴とするデータ表示方法。
【請求項１３】
複数のページで構成されたデータを表示する表示ステップと、
操作者の複数の指の指紋を検出する指紋検出ステップと、
前記指紋検出ステップで検出した前記指の指紋より判別する前記指の種類に基づいて、前記ページを繰る表示を開始する位置および終了する位置を決定する決定ステップと、
前記決定ステップで決定した前記開始する位置から前記データのページを繰る表示を開始し、前記終了する位置で前記ページを繰る表示を終了する表示制御を行う表示制御ステップとを備えることを特徴とするデータ表示方法。
【請求項１４】
複数のページで構成されたデータを表示する表示ステップと、
操作者の指の指紋を検出する指紋検出ステップと、
前記指紋検出ステップで前記指紋の検出を開始した位置と終了した位置とに基づいて、前記ページを繰る表示を開始する位置および終了する位置を決定する決定ステップと、
前記決定ステップで決定した前記開始する位置から前記データのページを繰る表示制御を開始し、前記終了する位置で前記ページを繰る表示を終了する表示を行う表示制御ステップとを備えることを特徴とするデータ表示方法。
【請求項１５】
前記データの任意のページにマーキングするマーキングステップと、
前記表示制御ステップにおいて繰る表示を行うページの中に、前記マーキングステップにおいてマーキングされた前記ページが存在する場合、通知を行う通知ステップとをさらに備える請求項９〜１４のいずれか一項に記載のデータ表示方法。
【請求項１６】
前記データの任意のページにマーキングするマーキングステップをさらに備え、
前記表示制御ステップは、繰る表示を行うページの中に、前記マーキングステップにおいてマーキングされた前記ページが存在する場合、マーキングされた前記ページ近傍におけるページを繰る速度を小さくする請求項９〜１５のいずれか一項に記載のデータ表示方法。
【発明の詳細な説明】
【技術分野】
【０００１】
本発明は、データの表示技術に係り、特に複数ページからなるデータを好適に表示する携帯端末およびデータの表示方法に関する。
【背景技術】
【０００２】
今日、携帯電話機を一例とする携帯端末の多機能化が図られている。このような携帯端末は、デジタルテレビ放送の視聴や、パーソナルコンピュータで表示されるものと同様のＷｅｂページの閲覧などを可能とするため、表示画面の大型化が顕著である。
【０００３】
また、複数のページで構成されたデータ（テキストデータやイメージデータ）のページを進めたり戻したりしながら連続的に閲覧することもできるようになっている。この一例として、近年においては、紙媒体の書籍がデータ化された、いわゆる電子書籍と呼ばれるサービスが提供されている。この電子書籍は、携帯端末で書籍データをダウンロードしたり、ストリーミングを利用したりすることにより、ディスプレイに表示されたデータをあたかも現実の書籍を読むように利用される。
【０００４】
この電子書籍は、携帯端末の携帯性や表示画面の大型化により、より一層ニーズが増加することが考えられる。これに伴って、書籍データをディスプレイに表示して読む際に、視認性・操作性よく表示することが求められる。
【０００５】
また、電子書籍を読む際には、紙媒体の書籍に対する動作、例えばページを繰る動作などとも違和感なく、直感的に操作できることが望ましい。
【０００６】
ここで、従来、ディスプレイの頁めくりを制御するために使用される慣性感知装置が知られている（例えば特許文献１参照）。この慣性感知装置は、手持ち入力デバイスであり、慣性感知装置を保持する手のスイングを検出し、頁めくりを制御するものであった。
【先行技術文献】
【特許文献】
【０００７】
【特許文献１】特開２００８−１５２７５１号公報
【発明の概要】
【発明が解決しようとする課題】
【０００８】
携帯端末には、一般的に操作キーなどの入力を受け付ける装置が構成されている。そこで、携帯端末に対して電子書籍のページを移動させる操作を入力するために、この操作キーを用いて行うことが考えられる。例えば、一の操作キーにページを進める指示を割り当て、他の操作キーにページを戻す指示を割り当てることができる。また、電子書籍を複数ページ間で移動させるためには、例えば移動先のページ数を操作キーで入力することにより、そのページに移動させる操作を入力することができる。
【０００９】
しかし、携帯端末において電子書籍を読む際には、直感的であり簡易な操作でページを移動できることが望ましい。上述した、操作キーで一ページずつ進めたり戻したりする操作や、移動先のページ数を入力する操作は、操作負担としては多くはないといえる。しかし、紙媒体の書籍を読む感覚で電子書籍のページを移動する操作を行うことができなかった。
【００１０】
また、上述した特許文献１に開示された慣性感知装置の頁めくりの制御は、表示装置と入力装置とが一体となった携帯端末に適用することは困難であった。
【００１１】
本発明はこのような事情を考慮してなされたもので、複数ページで構成されたデータに対して、操作性および視認性に優れたページ繰り操作を行うことができる携帯端末およびデータ表示方法を提供することを目的とする。
【課題を解決するための手段】
【００１２】
本発明に係る携帯端末は、上述した課題を解決するために、複数のページで構成されたデータを表示する表示手段と、操作者より入力された操作の移動量を検出する検出手段と、前記検出手段により検出された前記移動量に基づいて、繰られるページ量を決定する決定手段と、前記決定手段により決定された前記ページ量分の前記データのページを繰る表示を行わせる表示制御手段とを備えたことを特徴とする。
【００１３】
また、本発明に係る携帯端末は、複数のページで構成されたデータを表示する表示手段と、操作者より入力された操作の移動速度を検出する検出手段と、前記検出手段により検出された前記移動速度に基づいて、前記ページを繰る速度を決定する決定手段と、前記決定手段により決定された前記速度で前記データのページを繰る表示を行わせる表示制御手段とを備えたことを特徴とする。
【００１４】
また、本発明に係る携帯端末は、複数のページで構成されたデータを表示する表示手段と、操作者の複数の指の指紋を検出する指紋検出手段と、前記指紋検出手段により検出された前記指の指紋より、前記指の種類を判別する判別手段と、前記指の種類に基づいて、繰られるページ量を決定する決定手段と、前記決定手段により決定された前記ページ量分の前記データのページを繰る表示を行わせる表示制御手段とを備えたことを特徴とする。
【００１５】
また、本発明に係る携帯端末は、複数のページで構成されたデータを表示する表示手段と、操作者の複数の指の指紋を検出する指紋検出手段と、前記指紋検出手段により検出された前記指の指紋より、前記指の種類を判別する判別手段と、前記指の種類に基づいて、前記ページを繰る速度を決定する決定手段と、前記決定手段により決定された前記速度で前記データのページを繰る表示を行わせる表示制御手段とを備えたことを特徴とする。
【００１６】
また、本発明に係る携帯端末は、複数のページで構成されたデータを表示する表示手段と、操作者の複数の指の指紋を検出する指紋検出手段と、前記指紋検出手段により検出された前記指の指紋より判別される前記指の種類に基づいて、前記ページを繰る表示が開始される位置および終了される位置を決定する決定手段と、前記決定手段により決定された前記開始される位置から前記データのページを繰る表示を開始させ、前記終了される位置で前記ページを繰る表示を終了させる表示制御手段とを備えたことを特徴とする。
【００１７】
また、本発明に係る携帯端末は、複数のページで構成されたデータを表示する表示手段と、操作者の指の指紋を検出する指紋検出手段と、前記指紋検出手段により前記指紋の検出が開始された位置と終了された位置とに基づいて、前記ページを繰る表示が開始される位置および終了される位置を決定する決定手段と、前記決定手段により決定された前記開始される位置から前記データのページを繰る表示を開始させ、前記終了される位置で前記ページを繰る表示を終了させる表示制御手段とを備えたことを特徴とする。
【００１８】
また、本発明に係るデータ表示方法は、複数のページで構成されたデータを表示する表示ステップと、操作者より入力された操作の移動量を検出する検出ステップと、前記検出ステップで検出した前記移動量に基づいて、繰られるページ量を決定する決定ステップと、前記決定ステップで決定した前記ページ量分の前記データのページを繰る表示を行う表示制御ステップとを備えることを特徴とする。
【００１９】
また、本発明に係るデータ表示方法は、複数のページで構成されたデータを表示する表示ステップと、操作者より入力された操作の移動速度を検出する検出ステップと、前記検出ステップで検出した前記移動速度に基づいて、前記ページを繰る速度を決定する決定ステップと、前記決定ステップで決定した前記速度で前記データのページを繰る表示を行う表示制御ステップとを備えることを特徴とする。
【００２０】
また、本発明に係るデータ表示方法は、複数のページで構成されたデータを表示する表示ステップと、操作者の複数の指の指紋を検出する指紋検出ステップと、前記指紋検出ステップで検出した前記指の指紋より、前記指の種類を判別する判別ステップと、前記指の種類に基づいて、繰られるページ量を決定する決定ステップと、前記決定ステップで決定された前記ページ量分の前記データのページを繰る表示を行う表示制御ステップとを備えることを特徴とする。
【００２１】
また、本発明に係るデータ表示方法は、複数のページで構成されたデータを表示する表示ステップと、操作者の複数の指の指紋を検出する指紋検出ステップと、前記指紋検出ステップで検出した前記指の指紋より、前記指の種類を判別する判別ステップと、前記指の種類に基づいて、前記ページを繰る速度を決定する決定ステップと、前記決定ステップで決定した前記速度で前記データのページを繰る表示を行う表示制御ステップとを備えることを特徴とする。
【００２２】
また、本発明に係るデータ表示方法は、複数のページで構成されたデータを表示する表示ステップと、操作者の複数の指の指紋を検出する指紋検出ステップと、前記指紋検出ステップで検出した前記指の指紋より判別する前記指の種類に基づいて、前記ページを繰る表示を開始する位置および終了する位置を決定する決定ステップと、前記決定ステップで決定した前記開始する位置から前記データのページを繰る表示を開始し、前記終了する位置で前記ページを繰る表示を終了する表示制御を行う表示制御ステップとを備えることを特徴とする。
【００２３】
また、本発明に係るデータ表示方法は、複数のページで構成されたデータを表示する表示ステップと、操作者の指の指紋を検出する指紋検出ステップと、前記指紋検出ステップで前記指紋の検出を開始した位置と終了した位置とに基づいて、前記ページを繰る表示を開始する位置および終了する位置を決定する決定ステップと、前記決定ステップで決定した前記開始する位置から前記データのページを繰る表示制御を開始し、前記終了する位置で前記ページを繰る表示を終了する表示を行う表示制御ステップとを備えることを特徴とする。
【発明の効果】
【００２４】
本発明に係る携帯端末およびデータの表示方法は、複数ページで構成されたデータに対して、操作性および視認性に優れたページ繰り操作を行うことができる。
【図面の簡単な説明】
【００２５】
【図１】本発明に係る携帯端末の一例であるスライド型の携帯電話機の外観の構成を示す図。
【図２】本実施形態における携帯電話機の主な機能構成を示す概略的な機能ブロック図。
【図３】本実施形態における携帯電話機により実行される第一のデータ表示処理を説明するフローチャート。
【図４】本実施形態における携帯電話機により実行される第二のデータ表示処理を説明するフローチャート。
【図５】本実施形態における携帯電話機により実行される第三のデータ表示処理を説明するフローチャート。
【図６】本実施形態における携帯電話機により実行される第四のデータ表示処理を説明するフローチャート。
【図７】本実施形態における携帯電話機により実行される第五のデータ表示処理を説明するフローチャート。
【図８】本実施形態における携帯電話機により実行される第六のデータ表示処理を説明するフローチャート。
【図９】指紋検出開始位置および終了位置を概念的に説明する図。
【発明を実施するための形態】
【００２６】
本発明に係る携帯端末の実施形態を添付図面に基づいて説明する。
【００２７】
本実施形態においては、本発明に係る携帯端末を複数の筐体がスライド自在に連結されたスライド型の携帯電話機１を例に挙げて説明する。
【００２８】
図１は、本発明に係る携帯端末の一例であるスライド型の携帯電話機１の外観の構成を示す図である。図１（Ａ）は、携帯電話機１の閉じた状態を示す斜視図、図１（Ｂ）は、携帯電話機１の開いた状態を示す斜視図である。
【００２９】
携帯電話機１は、矩形の板状の上筐体１０と、この上筐体１０とほぼ同形状をした下筐体１１とで構成される。
【００３０】
上筐体１０と下筐体１１とは、閉じた状態（図１（Ａ）参照）では相互に対向面を覆うように積層されて形成される。また、上筐体１０と下筐体１１とは、開いた状態（図１（Ｂ）参照）では下筐体１１の数字キー２２などが露出するように形成される。
【００３１】
これらの上筐体１０と下筐体１１とは、所定方向（例えば携帯電話機１の長手方向；図１の矢印Ｘ方向）に相互に所定長さだけスライド可能なように連結されている。上筐体１０と下筐体１１とは、相対的に矢印Ｘ方向にスライドされることにより、閉じた状態から開いた状態に、あるいは開いた状態から閉じた状態に変形する。
【００３２】
上筐体１０の外表面（下筐体１１に対面しない側の面）には、ディスプレイ１２が設けられる。ディスプレイ１２は、テキストデータやイメージデータなどの種々のデータを表示することができる。なお、ディスプレイ１２は、例えばＬＣＤ（Ｌｉｑｕｉｄ  Ｃｒｙｓｔａｌ  Ｄｉｓｐｌａｙ）、有機ＥＬ（ＥｌｅｃｔｒｏＬｕｍｉｎｅｓｃｅｎｃｅ）ディスプレイ、無機ＥＬディスプレイにより構成されるディスプレイである。
【００３３】
上筐体１０のディスプレイ１２の上部の所定の位置にはレシーバ（受話器）１３が設けられる。なお、携帯電話機１の所定の位置には、レシーバ１３以外の音声出力部としてのスピーカ（図２のスピーカ３５）も設けられている。
【００３４】
また、上筐体１０のレシーバ１３の図示左には、発光素子（ＬＥＤ：Ｌｉｇｈｔ  Ｅｍｉｔｔｉｎｇ  Ｄｉｏｄｅ）１４が設けられている。この発光素子１４は、着信やメールの受信時、あるいはアラーム鳴動時などに所定の周期で発光する。
【００３５】
上筐体１０には、押下に伴い各種指示の入力を受け付ける操作キー１５が設けられる。操作キー１５は、例えば、発呼キー１６、終話キー１７、メールキー１８、ブラウザキー１９、および十字キー２０である。発呼キー１６は、音声通話の発呼の指示を受け付けるキー、終話キー１７は、音声通話の終話指示を受け付けるキーである。メールキー１８は、メール機能の起動の指示を受け付けるキー、ブラウザキー１９は、Ｗｅｂブラウザを起動の指示を受け付けるキーである。十字キー２０は、例えばディスプレイ１２に表示されたカーソルなどを上下左右方向に移動させるための入力を受け付けるキーである。
【００３６】
ディスプレイ１２、レシーバ１３、および操作キー１５は、携帯電話機１が閉じた状態であっても開いた状態であっても外部に露出するように設けられる。このため、携帯電話機１が閉じた状態であっても開いた状態であっても、操作者はディスプレイ１２の画面を視認したり操作キー１５を介して指示を入力したりすることができる。
【００３７】
図１（Ｂ）に示すように、下筐体１１の携帯電話機１が開いた状態に移行した場合に露出する表面（上筐体１０に対面する側の面）上には、数字キー２２が設けられる。数字キー２２は、押下に伴い数字や文字などの入力を受け付ける。数字キー２２は、特に、「０」から「９」の数字や「あ」行から「わ」行のかな文字、「Ａ」から「Ｚ」のアルファベットの入力が可能となっている。なお、数字キー２２を用いた入力操作は、携帯電話機１を開いた状態に変形させてから行われる操作である。
【００３８】
数字キー２２の図示下部には、音声を集音するためのマイクロフォン２３が設けられる。操作者は、レシーバ１３とマイクロフォン２３とを利用することにより、音声通話することが可能となる。
【００３９】
下筐体１１の側面には、指紋センサ２５が配置される。指紋センサ２５は、圧力や静電容量を感知することにより、操作者の指の指紋の隆起や特徴的な部分を検出するセンサである。また、指紋センサ２５には、圧力や静電容量を感知することにより、指の移動量や移動速度を検出するセンサとしても用いられる。
【００４０】
なお、下筐体１１は、背面側に図示しないバッテリパックが挿着されており、所定のキーが押下されてオン状態になると、バッテリパックから各回路部に対して電力が供給されて動作可能な状態に起動する。
【００４１】
図２は、本実施形態における携帯電話機１の主な機能構成を示す概略的な機能ブロック図である。携帯電話機１は、主制御部３０、電源回路部３１、入力制御部３２、表示制御部３３、音声制御部３４、記憶部３６、通信制御部３７がバスによって相互に通信可能に接続されて構成されている。
【００４２】
主制御部３０は、ＣＰＵ（Ｃｅｎｔｒａｌ  Ｐｒｏｃｅｓｓｉｎｇ  Ｕｎｉｔ）を具備する。主制御部３０は、記憶部３６に記憶された各種プログラムに基づき動作して、携帯電話機１の総括的な制御を行う。電源回路部３１は、操作キー１５のうち電源をオン・オフさせる指示の入力を受け付ける所定のキーに対する入力インタフェースを備える。電源回路部３１は、操作者によりこのキーが押されたことを検知すると、その旨を示す信号を生成して主制御部３０に伝送する。また、電源回路部３１は、電力供給源（バッテリパック）を備える。電源回路部３１は、電源をオン・オフさせるキーを介した入力に基づいて携帯電話機１の電源のＯＮ／ＯＦＦ状態を切り替える。電源回路部３１は、電源がＯＮ状態の場合に電力供給源から各部に対して電力を供給して、携帯電話機１を動作可能にする。
【００４３】
入力制御部３２は操作キー１５、数字キー２２に対する入力インタフェースを備える。入力制御部３２は、操作キー１５、数字キー２２のいずれかが押下されたことを検知すると、押されたキーを示す信号を生成して主制御部３０に伝送する。
【００４４】
表示制御部３３はディスプレイ１２に対する表示インタフェースを備える。表示制御部３３は、主制御部３０の制御に基づいて、テキストデータやイメージデータをディスプレイ１２に表示する。
【００４５】
音声制御部３４は、主制御部３０の制御に基づいて、マイクロフォン２３で集音された音声からアナログ音声信号を生成し、このアナログ音声信号をデジタル音声信号に変換する。また音声制御部３４は、デジタル音声信号を取得すると、主制御部３０の制御に基づいて、このデジタル音声信号をアナログ音声信号に変換し、レシーバ１３またはスピーカ３５から音声として出力する。
【００４６】
記憶部３６は、主制御部３０が行う処理について、処理プログラムや処理に必要なデータなどを格納するＲＯＭ（Ｒｅａｄ  Ｏｎｌｙ  Ｍｅｍｏｒｙ）やハードディスク、不揮発性メモリや、主制御部３０が処理を行う際に使用されるデータを一時的に記憶するＲＡＭ（Ｒａｎｄｏｍ  Ａｃｃｅｓｓ  Ｍｅｍｏｒｙ）などから構成される。
【００４７】
通信制御部３７は、主制御部３０の制御に基づいて、基地局からアンテナ３８を介して受信した受信信号をスペクトラム逆拡散処理してデータを復元する。このデータは、主制御部３０の指示により、音声制御部３４に伝送されてレシーバ１３やスピーカ３５から出力されたり、表示制御部３３に伝送されてディスプレイ１２に表示されたり、または記憶部３６に記録されたりする。また通信制御部３７は、主制御部３０の制御に基づいて、マイクロフォン２３で集音された音声データや、操作キー１５および数字キー２２を介して入力されたデータや、記憶部３６に記憶されたデータを取得すると、これらのデータに対してスペクトラム拡散処理を行う。通信制御部３７は、スペクトラム拡散処理が行われたデータを、基地局に対してアンテナ３８を介して送信する。
【００４８】
指紋センサ２５は、静電容量や圧力の変化を感知すると、主制御部３０に得られたデータを出力する。また、発光素子１４は、主制御部３０より制御信号を受け取ると、点灯または消灯を行う。
【００４９】
本実施形態における携帯電話機１は、あたかも紙媒体の書籍を閲覧するように、ディスプレイ１２を介して書籍コンテンツを閲覧することができる、いわゆる電子書籍の閲覧機能を備える。この電子書籍は、通信制御部３７を介したダウンロードや、ストリーミングを利用して取得することができる。
【００５０】
この携帯電話機１における、電子書籍の閲覧中における電子書籍の表示方法について説明する。以下に説明する表示方法では、特に電子書籍のページ繰り操作を、あたかも紙媒体の書籍に対してページ繰り動作を行っているかのように行うための方法（処理）を説明する。
【００５１】
また、以下に説明する第一〜第六のデータ表示処理は、携帯電話機１が操作者より電子書籍を表示する指示を受け付けた後に、主制御部３０により実行される処理として説明する。第一〜第六のデータ表示処理は、携帯電話機１で個別に実行されてもよいし、適宜組み合わせて実行されてもよい。また、ユーザより受け付けた設定により、実行されるデータ表示処理を選択可能にしてもよい。
【００５２】
各データ表示処理の説明の前に、電子書籍の任意のページにマーキングすることができるマーキング機能について説明する。
【００５３】
このマーキング機能は、例えば紙媒体の書籍にしおりを挟んだり付箋をつけたりするように、電子書籍の任意のページに印をつけることができる機能である。マーキングは、電子書籍の閲覧中などにおいて、操作キー１５などを介したユーザ操作により行われるようになっている。マーキングされたページに関する情報は、記憶部３６などに記憶され、必要に応じて読み出される。
【００５４】
まず、指紋センサ２５で検出された操作の移動量に基づいて、電子書籍の書籍データのページ繰り量を決定する第一のデータ表示処理を説明する。
【００５５】
図３は、本実施形態における携帯電話機１により実行される第一のデータ表示処理を説明するフローチャートである。
【００５６】
ステップＳ１において、主制御部３０は、電子書籍を表示する指示を受け付けたことに伴い、電子書籍の書籍データを表示手段としてのディスプレイ１２に表示する。このとき表示される書籍データのページは、操作者により選択された任意のページであってもよいし、携帯電話機１に記憶された前回の閲覧終了位置に該当するページであってもよい。操作者は、ディスプレイ１２に表示された書籍データを、紙媒体の書籍と同様にページを順に進めたり戻したりしながら、閲覧することができる。携帯電話機１は、ページを進めたり戻したりする指示を指紋センサ２５や操作キー１５を介して受け付けることができる。または、携帯電話機１が傾きセンサなどの姿勢を検出できる機能を備えている場合には、姿勢からページを進めたり戻したりする指示を検出してもよい。
【００５７】
ステップＳ２において、主制御部３０は、検出手段としての指紋センサ２５において操作者の指の移動量が検出されたか否かの判定を行う。指紋センサ２５は、圧力または静電容量の変化に応じて、指の移動量を検出する。主制御部３０は、指紋センサ２５において操作者の指の移動量が検出されていないと判定した場合、検出するまで待機する。
【００５８】
一方、指紋センサ２５において操作者の指の移動量が検出されたと判定された場合、ステップＳ３において、決定手段としての主制御部３０は、検出された移動量に基づいて繰られるページ量（ページ繰り量）を決定する。ページ繰り量は、例えば第一の移動量を検出した場合には、書籍データの全ページ数における２０％に相当するページ、第一の移動量よりも大きい第二の検出量を移動した場合には、書籍データの全ページ数における４０％に相当するページのように、移動量に比例して決定されるのが好ましい。
【００５９】
ステップＳ４において、表示制御手段としての主制御部３０は、決定されたページ繰り量分に相当する書籍データのページを繰る表示を行わせる。これに伴い、ディスプレイ１２にはページ繰り量分に相当する書籍データのページを繰る表示が行われる。このページを繰る表示は、例えば紙媒体の書籍をパラパラと中身を確認しながらめくるような表示であって、実際の書籍を閲覧しているような視覚効果を演出した表示が好ましい。
【００６０】
ステップＳ５において、主制御部３０は、ステップＳ４において繰る表示が行われるページの中に、マーキングされたページが存在するか否かを判定する。主制御部３０は、マーキングされたページが存在しないと判定した場合、全ページ繰り量のページ繰り表示の終了に伴い処理を終了する。
【００６１】
一方、マーキングされたページが存在すると判定した場合、ステップＳ６において、主制御部３０は、所定の処理を実行する。所定の処理は、例えばマーキングされたページの存在を、発光素子１４による点滅や、バイブレーションの発生、ディスプレイ１２に表示されたページの色彩の変更、ポップアップの表示などの通知手段を用いた通知処理が該当する。また、他の所定の処理としては、例えば、マーキングされたページの近傍におけるページを繰る速度を小さくする処理が該当する。速度を小さくすることで、ユーザがマーキングされたページを閲覧しやすくするためである。
【００６２】
以上で、指の移動量に応じてページ繰り量が決定される第一のデータ表示処理の説明を終了する。
【００６３】
次に、指紋センサ２５で検出された操作の移動速度に基づいて、電子書籍の書籍データのページ繰り速度を決定する第二のデータ表示処理について説明する。
【００６４】
図４は、本実施形態における携帯電話機１により実行される第二のデータ表示処理を説明するフローチャートである。第一のデータ表示処理と重複する説明については、詳細な説明を省略する。
【００６５】
ステップＳ１１は、図３の第一のデータ表示処理のステップＳ１とほぼ同様であるため、詳細な説明を省略する。
【００６６】
ステップＳ１２において、主制御部３０は、検出手段としての指紋センサ２５において操作者の指の移動速度が検出されたか否かの判定を行う。指紋センサ２５は、圧力または静電容量の変化に応じて、指の移動速度を検出する。主制御部３０は、指紋センサ２５において操作者の指の移動速度が検出されていないと判定した場合、検出するまで待機する。
【００６７】
一方、指紋センサ２５において操作者の指の移動速度が検出されたと判定された場合、ステップＳ１３において、決定手段としての主制御部３０は、検出された移動速度に基づいてページを繰る速度（ページ繰り速度）を決定する。ページ繰り速度は、例えば第一の移動速度を検出した場合には、第一のページ繰り速度、第一の移動速度よりも大きい第二の検出速度を移動した場合には、第一のページ繰り速度よりも大きい第二のページ繰り速度のように、移動量に比例して決定されるのが好ましい。
【００６８】
ステップＳ１４において、表示制御手段としての主制御部３０は、決定されたページ繰り速度で、書籍データのページを繰る表示を行わせる。これに伴い、ディスプレイ１２にはページ繰り速度で書籍データのページを繰る表示が行われる。この決定されたページ繰り速度でページを繰る表示は、例えば、ユーザより所定の入力操作を受け付けるまで継続させるようにしてもよいし、予め設定されたページ量が繰られるまで表示を継続させるようにしてもよい。
【００６９】
ステップＳ１５およびＳ１６は、図３のステップＳ５およびＳ６とほぼ同様の処理であるため、詳細な説明を省略する。
【００７０】
以上で、指の移動速度に応じてページの繰り速度が決定される第二のデータ表示処理の説明を終了する。
【００７１】
次に、指紋センサ２５で検出された操作に用いられた指の種類に基づいて、電子書籍の書籍データのページ繰り量を決定する第三のデータ表示処理について説明する。
【００７２】
図５は、本実施形態における携帯電話機１により実行される第三のデータ表示処理を説明するフローチャートである。第一および第二のデータ表示処理と重複する説明については、詳細な説明を省略する。
【００７３】
ステップＳ２１は、図３の第一のデータ表示処理のステップＳ１とほぼ同様であるため、詳細な説明を省略する。
【００７４】
ステップＳ２２において、判定手段としての主制御部３０は、指紋検出手段としての指紋センサ２５において、検出された一の指の指紋より、操作に用いられた指の種類が判別されたか否かの判定を行う。
【００７５】
なお、主制御部３０により指の種類が判別されるために、データ表示処理の前に予め使用者の必要な指紋パターンの登録が行われる。指紋センサ２５は、圧力または静電容量の変化に応じて検出された指の凹凸や特徴点から指紋パターンを検出する。主制御部３０は、予め登録された複数の指の指紋パターンと、ステップＳ２２において検出された指紋パターンとを照合することで、指の種類の判別を行う。
【００７６】
主制御部３０は、指紋センサ２５において操作者の指紋が検出されないと判定した場合、検出するまで待機する。
【００７７】
一方、指紋センサ２５において操作者の指の指紋が検出され、指の種類が判別されたと判定された場合、ステップＳ２３において、決定手段としての主制御部３０は、判別された指の種類に基づいてページを繰る量（ページ繰り量）を決定する。ページ繰り量は、例えば操作に用いられた指が親指であると判別された場合には、書籍データの全ページ数における２０％に相当するページ、操作に用いられた指が人差し指であると判別された場合には、書籍データの全ページ数における４０％に相当するページのように、指の種類に応じて決定されるのが好ましい。各指に対するページ繰り量の割り当ては、予め設定された固有値であってもよいし、ユーザによって任意に設定可能に構成してもよい。
【００７８】
ステップＳ２４において、表示制御手段としての主制御部３０は、決定されたページ繰り量分に相当する書籍データのページを繰る表示を行わせる。これに伴い、ディスプレイ１２にはページ繰り量分に相当する書籍データのページを繰る表示が行われる。
【００７９】
ステップＳ２５およびＳ２６は、図３のステップＳ５およびＳ６とほぼ同様の処理であるため、詳細な説明を省略する。
【００８０】
以上で、指の種類に応じてページの繰り量が決定される第三のデータ表示処理の説明を終了する。
【００８１】
次に、指紋センサ２５で検出された操作に用いられた指の種類に基づいて、電子書籍の書籍データのページ繰り速度を決定する第四のデータ表示処理について説明する。
【００８２】
図６は、本実施形態における携帯電話機１により実行される第四のデータ表示処理を説明するフローチャートである。第一〜第三のデータ表示処理と重複する説明については、詳細な説明を省略する。
【００８３】
ステップＳ３１は、図３の第一のデータ表示処理のステップＳ１とほぼ同様であるため、詳細な説明を省略する。
【００８４】
ステップＳ３２において、判定手段としての主制御部３０は、指紋検出手段としての指紋センサ２５において、検出された一の指の指紋より、操作に用いられた指の種類が判別されたか否かの判定を行う。主制御部３０は、指紋センサ２５において操作者の指紋が検出されないと判定した場合、検出するまで待機する。
【００８５】
一方、指紋センサ２５において操作者の指の指紋が検出され、指の種類が判別されたと判定された場合、ステップＳ３３において、決定手段としての主制御部３０は、判別された指の種類に基づいてページを繰る速度（ページ繰り速度）を決定する。ページ繰り速度は、例えば操作に用いられた指が親指であると判別された場合には、第一のページ繰り速度、操作に用いられた指が人差し指であると判別された場合には、第一のページ繰り速度よりも大きい第二のページ繰り速度のように決定される。
【００８６】
ステップＳ３４において、表示制御手段としての主制御部３０は、決定されたページ繰り速度で、書籍データのページを繰る表示を行わせる。これに伴い、ディスプレイ１２にはページ繰り速度で書籍データのページを繰る表示が行われる。
【００８７】
ステップＳ３５およびＳ３６は、図３のステップＳ５およびＳ６とほぼ同様の処理であるため、詳細な説明を省略する。
【００８８】
以上で、指の種類に応じてページの繰り速度が決定される第四のデータ表示処理の説明を終了する。
【００８９】
次に、指紋センサ２５で検出された操作に用いられた指の種類に基づいて、電子書籍の書籍データのページ繰り表示の開始位置および終了位置を決定する第五のデータ表示処理について説明する。
【００９０】
図７は、本実施形態における携帯電話機１により実行される第五のデータ表示処理を説明するフローチャートである。第一〜第四のデータ表示処理と重複する説明については、詳細な説明を省略する。
【００９１】
ステップＳ４１は、図３の第一のデータ表示処理のステップＳ１とほぼ同様であるため、詳細な説明を省略する。
【００９２】
ステップＳ４２において、判定手段としての主制御部３０は、指紋検出手段としての指紋センサ２５において、検出された一の指の指紋より、操作に用いられた指の種類が判別されたか否かの判定を行う。主制御部３０は、指紋センサ２５において操作者の指紋が検出されないと判定した場合、検出するまで待機する。
【００９３】
一方、指紋センサ２５において操作者の指の指紋が検出され、指の種類が判別されたと判定された場合、ステップＳ４３において、決定手段としての主制御部３０は、判別された指の種類に基づいてページを繰る表示が開始される位置（開始位置）および終了される位置（終了位置）を決定する。ページを繰る表示の開始位置および終了位置は、例えば操作に用いられた指が親指であると判別された場合には、書籍データの全ページ数における０％の位置を開始位置、２０％に相当する位置を終了位置、操作に用いられた指が人差し指であると判別された場合には、書籍データの全ページ数における２０％に相当する位置を開始位置、４０％に相当する位置を終了位置のように、指の種類に応じて決定されるのが好ましい。各指に対する開始位置および終了位置の割り当ては、予め設定された固有値であってもよいし、ユーザによって任意に設定可能に構成してもよい。
【００９４】
ステップＳ４４において、表示制御手段としての主制御部３０は、決定された開始位置および終了位置に応じてページを繰る表示を行わせる。すなわち、主制御部３０は、開始位置から書籍データのページを繰る表示を開始させ、終了位置でページを繰る表示を終了させる。これに伴い、ディスプレイ１２には開始位置および終了位置に応じて書籍データのページを繰る表示が行われる。
【００９５】
ステップＳ４５およびＳ４６は、図３のステップＳ５およびＳ６とほぼ同様の処理であるため、詳細な説明を省略する。
【００９６】
以上で、指の種類に応じてページの繰り表示の開始位置および終了位置が決定される第五のデータ表示処理の説明を終了する。
【００９７】
次に、指紋センサ２５で検出された操作に用いられた指の種類に基づいて、電子書籍の書籍データのページ繰り表示の開始位置および終了位置を決定する第五のデータ表示処理について説明する。
【００９８】
図８は、本実施形態における携帯電話機１により実行される第六のデータ表示処理を説明するフローチャートである。第一〜第五のデータ表示処理と重複する説明については、詳細な説明を省略する。
【００９９】
ステップＳ５１は、図３の第一のデータ表示処理のステップＳ１とほぼ同様であるため、詳細な説明を省略する。
【０１００】
ステップＳ５２において、判定手段としての主制御部３０は、指紋検出手段としての指紋センサ２５において検出された指紋より、検出が開始された位置および終了された位置が判別されたか否かの判定を行う。
【０１０１】
なお、主制御部３０により検出が開始された位置および終了された位置の判別を行うために、データ表示処理の前に予め使用者の必要な指紋パターンの登録が行われる。指紋センサ２５は、圧力または静電容量の変化に応じて検出された指の凹凸や特徴点から指紋パターンを検出する。主制御部３０は、予め登録された指の指紋パターンと、ステップＳ５２において検出された指紋パターンとを照合することで、指紋全体における検出開始および終了位置の判別を行う。
【０１０２】
図９は、指紋検出開始位置および終了位置を概念的に説明する図である。なお、図９の指Ｆには指紋は図示されていない。
【０１０３】
携帯電話機１には、予め指紋センサ２５で検出された指紋パターンが登録される。この指紋パターンには、例えば図９に示すように、指Ｆの根元側に位置する第一の地点が０％位置、指Ｆの長さ方向に向かった先端側に位置する第二の地点が１００％位置として設定されており、データ表示処理において検出された指紋パターンの位置情報（長さ方向何％の位置であるかに関する情報）を得ることができるようになっている。
【０１０４】
データ表示処理において指紋センサ２５より検出された指紋は、指紋の凹凸や特徴点を用いて予め登録された指紋パターンと照合される。主制御部３０は、この照合結果に基づいて検出開始位置と終了位置との位置情報の判別を行う。
【０１０５】
例えば、図９に図示されたＡ地点から指Ｆが指紋センサ２５に接触して検出が開始され、Ｂ地点で接触が終了して検出が終了した場合を想定する。主制御部３０は、指ＦのＡ地点からＢ地点の間で検出され得られた指紋パターンと、予め登録された指紋パターンとの照合を行う。主制御部３０は、照合の結果、検出が開始された位置を指紋全体における２０％の位置（Ａ地点）であると判別する。また、主制御部３０は、検出が終了された位置を指紋全体における６０％の位置（Ｂ地点）であると判別する。
【０１０６】
主制御部３０は、指紋センサ２５において操作者の指紋が検出されないと判定した場合、検出するまで待機する。
【０１０７】
一方、指紋センサ２５において操作者の指の指紋が検出され、検出の開始位置および終了位置が判別されたと判定された場合、ステップＳ５３において、決定手段としての主制御部３０は、判別された開始位置および終了位置に基づいてページを繰る表示が開始される位置（開始位置）および終了される位置（終了位置）を決定する。ページを繰る表示の開始位置および終了位置は、例えば検出が開始された位置が指Ｆの長さ方向において２０％、終了された位置が６０％であると判別された場合には、書籍データの全ページ数における２０％に相当する位置を開始位置、６０％に相当する位置を終了位置として、検出開始位置および終了位置に対応して決定されるのが好ましい。検出に用いられる指は、複数の指に対応するように構成してもよい。なお、第一の地点（０％位置）と第二の地点（１００％位置）とは、図９の例に限らない。
【０１０８】
ステップＳ５４において、表示制御手段としての主制御部３０は、決定された開始位置および終了位置に応じてページを繰る表示を行わせる。すなわち、主制御部３０は、開始位置から書籍データのページを繰る表示を開始させ、終了位置でページを繰る表示を終了させる。これに伴い、ディスプレイ１２には開始位置および終了位置に応じて書籍データのページを繰る表示が行われる。
【０１０９】
ステップＳ５５およびＳ５６は、図３のステップＳ５およびＳ６とほぼ同様の処理であるため、詳細な説明を省略する。
【０１１０】
以上で、指紋の検出開始位置および終了位置に応じてページの繰り表示の開始位置および終了位置が決定される第六のデータ表示処理の説明を終了する。
【０１１１】
この携帯電話機１によれば、電子書籍に代表される、複数のページで構成されたデータに対して、操作性および視認性に優れたページ繰り操作を行うことができる。
【０１１２】
具体的には、指紋センサ２５に対する指の移動量や移動速度の大小に応じて、ページ繰り量やページ繰り速度を制御することにより、指紋センサ２５に対して入力した直感的な操作に伴うページ繰り表示を実現することができる。
【０１１３】
また、指の検出開始位置と検出終了位置を判別することにより、ユーザが指を用いて直感的に入力した操作から、ページ繰り量を決定することができる。
【０１１４】
さらに、指の種類に応じて、異なるページ繰り量やページ繰り速度の入力を受け付けるため、ページ繰り表示に対する操作性を向上させることができる。
【０１１５】
また、任意のページにマーキングを行うことができるマーキング機能を備えることで、紙媒体の書籍にしおりや付箋をつけるような感覚で電子書籍を扱うことができる。また、ページ繰り表示中においてマーキングされたページが存在する場合には、通知を行ったりページ繰り速度を小さくしたりすることで、視認性も向上させることができる。
【０１１６】
なお、本発明に係る携帯端末およびデータ表示方法を、携帯電話機１に表示される電子書籍を閲覧する場合を例として説明したが、これに限らず、複数ページからなるテキストや画像データを表示する携帯端末や、その表示方法にも適用してもよい。
【０１１７】
携帯電話機１で実行されたページ繰り表示は、繰り途中に任意の位置での停止操作、およびその後の再開操作が可能なようにしてもよい。
【０１１８】
また、移動量や移動速度を検出する手段に指紋センサ２５を適用した例を説明したが、これに換えてジョグダイヤルや感圧センサなどの他の入力手段を用いてもよい。
【０１１９】
また、本発明は、携帯電話機１以外にも、ＰＤＡ（Ｐｅｒｓｏｎａｌ  Ｄｉｇｉｔａｌ  Ａｓｓｉｓｔａｎｔ）、パーソナルコンピュータ、携帯型ゲーム機、携帯型音楽再生機、携帯型動画再生機、その他の携帯端末にも適用することができる。
【０１２０】
また、本発明の実施形態において説明した一連の処理は、ソフトウェアにより実行させることもできるが、ハードウェアにより実行させることもできる。
【０１２１】
さらに、本発明の実施形態では、フローチャートのステップは、記載された順序に沿って時系列的に行われる処理の例を示したが、必ずしも時系列的に処理されなくとも、並列的あるいは個別実行される処理をも含むものである。
【符号の説明】
【０１２２】
１  携帯電話機
１０  上筐体
１１  下筐体
１２  ディスプレイ
１４  発光素子
１５  操作キー
２２  数字キー
２５  指紋センサ
３０  主制御部
３１  電源回路部
３２  入力制御部
３３  表示制御部
３４  音声制御部
３５  スピーカ
３６  記憶部
３７  通信制御部
３８  アンテナ
【図１】
2010250757.tif 000003
【図２】
2010250757.tif 000004
【図３】
2010250757.tif 000005
【図４】
2010250757.tif 000006
【図５】
2010250757.tif 000007
【図６】
2010250757.tif 000008
【図７】
2010250757.tif 000009
【図８】
2010250757.tif 000010
【図９】
2010250757.tif 000011